(57)【特許請求の範囲】
【請求項１】
グリップ部１１と回動移動する操作部３１付レバー３０とを備えたハンドレバー装置１０であって、
前記グリップ部１１は、弾性合成ゴムもしくは弾性合成樹脂で一体成形されていると共に、その長手方向に沿って膨出部１１ｃを有し、
該膨出部１１ｃは、その横断面における中央部に前記操作部３１が嵌入する凹入形状のレバー受け部１１ｄを備えると共に、該レバー受け部１１ｄの側部にケーブル・コード等の制御用線体１５、１８を挿嵌保持する貫通孔１９を備え、
該貫通孔１９は、前記レバー受け部１１ｄの両側に配置された二つの円形部分１９ａ、１９ｂと該二つの円形部分１９ａ、１９ｂを接続する中央溝部１９ｃとで形成されていることを特徴とするハンドレバー装置。
【請求項２】
グリップ部１１と回動移動する操作部３１付レバー３０とを備えたハンドレバー装置１０であって、
前記グリップ部１１は、弾性合成ゴムもしくは弾性合成樹脂で一体成形されていると共に、その長手方向に沿って膨出部１１ｃを有し、
該膨出部１１ｃは、その横断面における中央部に前記操作部３１が嵌入する凹入形状のレバー受け部１１ｄを備えると共に、該レバー受け部１１ｄの側部にケーブル・コード等の制御用線体１５、１８を挿嵌保持する貫通孔１９を備え、
該貫通孔１９は、前記レバー受け部１１ｄの両側に配置された二つの円形部分１９ａ、１９ｂと該二つの円形部分１９ａ、１９ｂを各々接続する二つの溝部１９ｃ1、１９ｃ2とで形成されていることを特徴とするハンドレバー装置。
【請求項３】
前記制御用線体１５、１８は、作業機１用の内燃機関２のスロットル弁ＣＶを引っ張るボーデンケーブル１５と前記内燃機関２を停止させる電導コード１８であることを特徴とする請求項１又は２に記載のハンドレバー装置。
【発明の詳細な説明】
【０００１】
【発明の属する技術分野】
本発明は、ヘッジトリマーや刈払機等の作業機のハンドレバー装置に係り、特に、前記作業機のハンドル部に配設されるハンドレバー装置のグリップ部の構造に関する。
【０００２】
【従来の技術】
一般に、内燃機関により駆動される刈刃等の作業部を備えたヘッジトリマーや刈払機等の作業機においては、前記内燃機関の出力を作業者の手元で調節操作するべく、前記作業機に備えられているＵ形ハンドルやバーハンドルに、グリップ部と共に、前記内燃機関のスロットル弁の開度を調節するレバーと、前記内燃機関を停止するスイッチと、を備えたハンドレバー装置を配設している。
【０００３】
図８は、本出願人が特願平８−１９２５７５号の出願として既に提案している先行発明のハンドレバー装置１０’の外観を示す左側面図であり、図９は、前記図８のIX-IX矢視断面図である。
【０００４】
前記ハンドレバー装置１０’は、作業機のハンドル７’の後グリップ部１１’近傍に外嵌固定されたケース部材２０’を有し、該ケース部材２０’に内燃機関のスロットル弁に連結されたボーデンケーブル１５’のアウターチューブ１６’内のスロットルケーブル１７’を引っ張るメーンレバー３０’が、回動可能に保持されている。前記ケース部材２０’の上面中央部には、前記内燃機関の点火プラグへの電気回路を短絡して前記内燃機関を停止させるためのスライド式停止スイッチ５０’が装着されている。
【０００５】
図９に示されているように、前記ボーデンケーブル１５’と前記停止スイッチ５０’用の電導コード１８’とは、前記後グリップ部１１’の下部に形成された一つの比較的大きな貫通孔１９’内に挿通され、後部に導かれて前記内燃機関に連結されている。
【０００６】
前記ケース部材２０’に回動自在に保持された前記メーンレバー３０’は、前記後グリップ部１１’の下端に設けられた膨出部としてのレバー受け部１１ｃ’に接近するように作業者の手で回動される直線状の操作部３１’を備えており、該操作部３１’を回動操作して前記後グリップ部１１’の下端の前記レバー受け部１１ｃ’に接近させることで、前記ボーデンケーブル１５’のアウターチューブ１６’内のスロットルケーブル１７’を引っ張り、前記内燃機関のスロットル弁を開方向に移動させて、前記内燃機関の出力を増加させるものである。
【０００７】
前記作業機の通常の作業における使用状態においては、作業者が手で前記操作部３１’を前記後グリップ部１１’の下端に設けられたレバー受け部１１ｃ’に接触した状態で、後グリップ部１１’を握って作業を行うものである。
【０００８】
【発明が解決しようとする課題】
ところで、前記ハンドレバー装置１０’は、作業者が手で前記後グリップ部１１’と前記操作部３１’とを一体として握って作業を行うが、前記ハンドル７’と前記操作部３１’との間の前記後グリップ部１１’内には、前記ボーデンケーブル１５’と前記電導コード１８’とが介在されているので、その握り径が大きくなってしまい、作業者がその作業中に絶えずしっかり握って作業するために手指等の負担が大きくなって操作性の面で問題がある。
【０００９】
また、前記後グリップ部１１’の線体の挿嵌作業を容易にせしめるために比較的大きく形成された一つの貫通孔１９’内に前記ボーデンケーブル１５’と前記電導コード１８’とが一緒に挿嵌されているので、該ボーデンケーブル１５’と該電導コード１８’とが前記貫通孔１９’内で自由に横方向に移動する傾向があり、前記両者が前記貫通孔１９’内でしっかりと保持されないとの不具合が生じている。
【００１０】
本発明は、このような問題に鑑みてなされたものであって、その目的とするところは、メインレバーの操作部をグリップ部と一緒に握って作業しても、その握り操作性が良く、かつ、前記グリップ部へのボーデンケーブル等の組み付け性も容易となるハンドレバー装置を提供することである。
【００１１】
【課題を解決するための手段】
前記の目的を達成すべく、本発明に係るハンドレバー装置は、グリップ部と回動移動する操作部付レバーとを備え、前記グリップ部は、弾性合成ゴムもしくは弾性合成樹脂で一体成形されていると共に、その長手方向に沿って膨出部を有し、該膨出部は、その横断面における中央部に前記操作部が嵌入する凹入形状のレバー受け部を備えると共に、該レバー受け部の側部にケーブル・コード等の制御用線体を挿嵌保持する貫通孔を備えたことを特徴としている。
【００１２】
また、本発明に係るハンドレバー装置の具体的態様としては、前記貫通孔が、前記レバー受け部の両側に配置された二つの円形部分と、該二つの円形部分を接続する中央溝部とで形成されるか、もしくは、該二つの円形部分と各々接続する二つの溝部とで形成されていることを特徴としている。
【００１３】
更に、本発明のハンドレバー装置の前記制御用線体は、作業機用の内燃機関のスロットル弁を引っ張るボーデンケーブルと前記内燃機関を停止させる電導コードであることを特徴としている。
【００１４】
このように構成された本発明のハンドレバー装置は、作業者が手で前記レバーの操作部と一緒に握るグリップ部の膨出部に、前記操作部が嵌入する凹入形状のレバー受け部を設けたので、前記凹入形状内に前記操作部がはまり込み、該操作部とグリップ部とからなる握り部全体としての形状が小さくなって握り易く、作業の操作性が改善される。
【００１５】
また、前記グリップ部の膨出部は、前記レバー受け部の左右に円形部分を有する貫通孔を穿設しており、該貫通孔の円形部分の各々に、例えば、内燃機関のスロットル弁を操作するボーデンケーブルと、点火回路を短絡せしめて前記内燃機関を停止する電導コードとを嵌挿する構成としたので、前記レバー受け部の凹入形状と相俟って、前記グリップ部に前記ボーデンケーブルと前記電導コードとを挿嵌保持したにも拘らず、前記グリップ部の握り形状を必要最小限の大きさにすることができる。
【００１６】
更に、前記グリップ部の前記貫通孔は、前記二つの円形部分を接続する中央溝部分を有する構造としたので、組立時、前記貫通孔の前記二つの円形部分内に、前記ボーデンケーブルと電導コードとを挿入する場合、前記グリップ部の前記膨出部に外部から力を加え、合成ゴム製等の該グリップ部を変形させることで、前記中央溝部分の幅が広がって前記円形部分の内径を大きくすることができ、前記ボーデンケーブルと電導コードとの挿入を容易にする。また、挿入後は、前記二つの円形部分の各々で、前記ボーデンケーブルと電導コードとを各々各別に保持するので、該保持がしっかりと確実になされる。
【００１７】
【発明の実施の形態】
以下、本発明の一実施の形態を図面を参照しながら説明する。
図１は、本実施形態のハンドレバー装置が装着された刈払機の一例を示す斜視図である。図示例の刈払機１は、所定間隔を置いて前グリップ部１２と後グリップ部１１とが並設された筒状のバーハンドル（操作桿）７を備え、該バーハンドル７の先端側に刈刃１３や安全カバー１４等からなる作業部３を設け、後端側には、前記刈刃１３を前記バーハンドル７に内挿されたドライブシャフト７１を介して駆動する動力源としての、リコイルスタータ６や燃料タンク４が付設された内燃機関（小型空冷２サイクルガソリンエンジン）２を配備しており、該内燃機関２にスロットル弁ＣＶを有する気化器（図示省略）や点火プラグ５が備えられている。
【００１８】
本実施形態では、前記スロットル弁ＣＶが、常時最小（アイドル回転）開度方向に付勢されていて、それに接続されている後述するスロットルケーブル１７が非操作状態から所定長以上引っ張られたときに遊びが無くされて前記最小開度から開き始めるようにされている。
【００１９】
そして、前記二つのグリップ部１１、１２の内、通常は右手で握る後側の後グリップ部１１は、本実施形態のハンドレバー装置１０の構成要素を成すものであり、該後グリップ部１１は操作時、前記ハンドレバー装置１０と一体となって、前記スロットルケーブル１７を介して前記スロットル弁ＣＶの開度を調整する役目をするべく配置されている。
【００２０】
前記ハンドレバー装置１０は、図２にその外観が示されている如く、前記後グリップ部１１の前端側において前記ハンドル７に外嵌固定されたケース部材２０を有し、該ケース部材２０には、メインレバー３０が回動可能に保持され、該メインレバー３０は前記スロットル弁ＣＶに連結された制御用線体としてのボーデンケーブル１５のアウターチューブ１６に挿通された前記スロットルケーブル１７を引っ張る役目をし、かつ、操作部３１を有している。また、前記ケース部材２０の上面中央部には、前記内燃機関２の点火プラグ５の点火回路を短絡して前記内燃機関２を停止させるためのスライド式停止スイッチ５０が装着されている。
【００２１】
前記後グリップ部１１は、弾性合成ゴムもしくは弾性のある合成樹脂等で一体成形され、図３の横断面図に示されているように、つぶれ防止用の補強筒１１ｅをインサートした中空の筒状体をしており、前記ハンドル７をその中空部に嵌挿し、前後の両端部１１ａ、１１ｂを含む内周面で前記ハンドル７にスプリングバンド１１ｆで弾性的に保持されている。前記後グリップ部１１は、その中央下部に長手（前後）方向に沿って膨出部１１ｃを有し、該膨出部１１ｃ内に、前後方向に貫通する貫通孔１９を備えている。該貫通孔１９は、図３に示すように、その断面形状が、眼鏡状に形成されており、左右の二つの円形部分１９ａ、１９ｂと該二つの円形部分１９ａ、１９ｂを連絡する中央溝部分１９ｃからなっている。
【００２２】
前記後グリップ部１１の前記膨出部１１ｃは、前記貫通孔１９の中央溝部分１９ｃの下部の外部形状が該中央溝部分１９ｃ側に凹入した形状とされており、該凹入形状部がレバー受け部１１ｄとなっている。該レバー受け部１１ｄは、前記メインレバー３０を回動操作して前記操作部３１を前記後グリップ部１１に接触させたとき、前記操作部３１が嵌入するようになっている。
【００２３】
前記内燃機関２から導かれる制御用線体としての前記ボーデンケーブル１５と前記停止スイッチ５０に接続される導電コード１８とは、前記貫通孔１９の左右の円形部分１９ａ、１９ｂ内にそれぞれ挿通され、その後、前記ハンドレバー装置１０の前記ケース部材２０に導かれ、前記ボーデンケーブル１５の前記アウターチューブ１６は、前記ケース部材２０に係止されると共に、前記アウターチューブ１６内の前記スロットルケーブル１７は、前記ケース部材２０内の前記メーンレバー３０に連結される。また、前記導電コード１８は、前記ケース部材２０内に導かれて前記スライド式停止スイッチ５０の接続端子に接続される。
【００２４】
次に、前述の如く構成された本実施形態のハンドレバー装置１０の作動について説明する。
本実施形態の前記ハンドレバー装置１０は、メーンレバー３０の操作部３１を図２の鎖線のアイドル回転状態として、内燃機関２のリコイルスタータ６を操作することで、前記内燃機関２が始動するが、この状態では該内燃機関２がアイドル状態にあり、回転数が低いので、遠心クラッチ（図示せず）がクラッチインせず、作業部３の刈刃１３は回転しない。
【００２５】
前記状態において、前記メインレバー３０の操作部３１を後グリップ部１１の前記レバー受け部１１ｄに接近させ、該レバー受け部１１ｄに嵌入させるセット位置（図２の実線位置）まで回動操作させると、前記メインレバー３０に接続されている前記スロットルケーブル１７が所定量引っ張られ、前記スロットル弁ＣＶが最小開度（アイドル開度）から開方向に移動し、前記内燃機関２は出力を増し、前記遠心クラッチがクラッチインして、前記作業部３の前記刈刃１３が回転して作業状態となる。
【００２６】
前記のように、前記メインレバー３０の操作部３１を前記後グリップ部１１の前記レバー受け部１１ｄに接触嵌入させた状態で刈り取り作業を行うが、作業を中止し、前記内燃機関２を停止したい場合は、前記メインレバー３０の操作部３１を前記レバー受け部１１ｄから解放（図２の鎖線位置）し、前記内燃機関２の回転数を低下させて前記遠心クラッチを遮断状態とすることで、前記作業部３の前記刈刃１３への回転駆動を停止させると共に、前記スライド式停止スイッチ５０を操作して、前記電導コード１８を介して前記内燃機関２の点火回路を短絡して前記内燃機関２を停止させる。
【００２７】
このように、本実施形態のハンドレバー装置１０は、作業者が手で握る後グリップ部１１のレバー受け部１１ｄを前記操作部３１が嵌入する凹入形状としたので、前記レバー受け部１１ｄの凹入形状内に前記操作部３１がはまり込み、該操作部３１と後グリップ部１１との全体としての握り部の形状が小さくなって握り易く、作業の操作性が改善される。
【００２８】
また、前記後グリップ部１１は、前記レバー受け部１１ｄの左右に円形部分１９ａ、１９ｂを有する貫通孔１９を穿設し、該貫通孔１９の円形部分１９ａ、１９ｂの各々に、内燃機関２のスロットル弁ＣＶを操作する制御用線体としてのボーデンケーブル１５と前記内燃機関２を停止する電導コード１８とを各別に嵌挿する構成としたので、前記レバー受け部１１ｄの凹入形状と合いまって、前記後グリップ１１に前記ボーデンケーブル１５と前記電導コード１８とを挿嵌保持したにも拘らず、前記後グリップ部１１との全体としての握り部の形状を必要最小限の大きさにすることができる。
【００２９】
更に、前記後グリップ部１１の前記貫通孔１９は、前記二つの円形部分１９ａ、１９ｂを接続する中央溝部分１９ｃを有する構造としたので、組立時、前記貫通孔１９の前記二つの円形部分１９ａ、１９ｂ内に、前記ボーデンケーブル１５と電導コード１８とを挿入する場合、前記後グリップ部１１の前記膨出部１１ｃに外部から力を加え、合成ゴム等の前記グリップ部１１を変形させると、前記中央溝部分１９ｃの幅が広がって前記円形部分１９ａ、１９ｂの内径を大きくすることができるので、前記ボーデンケーブル１５と電導コード１８との挿入を容易にし、挿入後は、前記二つの円形部分１９ａ、１９ｂの各々で、前記ボーデンケーブル１５と電導コード１８とを各々各別に保持するので、該保持がしっかりと確実になされる。
【００３０】
以上、本発明の一実施形態について詳述したが、本発明は、前記実施形態に限定されるものではなく、特許請求の範囲に記載された発明の精神を逸脱しない範囲で、設計において、種々の変更ができるものである。
【００３１】
例えば、前記実施形態においては、後グリップ部１１の貫通孔１９は、左右二つの円形部分１９ａ、１９ｂと、該円形部分１９ａ、１９ｂを接続する中央溝部分１９ｃとから成る構造としているが、図４に示すように、前記中央溝部分１９ｃを中央壁１９ｄで分離して前記二つの円形部分１９ａ、１９ｂに各別に連通する二つの溝部分１９ｃ1、１９ｃ2として、膨出部１１ｃの左右方向へのよじれを防止することもできる。この場合も、後グリップ部１１の膨出部１１ｃに外部から力を加えて変形させると、前記二つの溝部分１９ｃ1、１９ｃ2が開き前記円形部分１９ａ、１９ｂの内径を大きくすることができるので、前記ボーデンケーブル１５と電導コード１８との挿入を容易にする。
【００３２】
更に、図５〜７に示すように、後グリップ部１１の後部側（内燃機関２側）の膨出部１１ｃの構造を一部変更することができる。即ち、図２、３の実施形態よりも、膨出部１１ｃを後方に延長し、該延長部の貫通孔１９を一つの大きな貫通孔１９ｅとして形成することもできる。このように前記後グリップ部１１の前記内燃機関２側を一つの大きな貫通孔１９ｅとすることによって、前記ボーデンケーブル１５と前記電導コード１８とを接触状態で揃えて前記後グリップ部１１から前記内燃機関２側に引き出すことができる。
【００３３】
【発明の効果】
以上の説明から理解されるように、本発明のハンドレバー装置は、グリップ部の膨出部の外形形状と制御用線体のための貫通孔を特定の形状・配置としたので、前記グリップ部の握り形状を小さくして操作性が改善されると共に、前記制御用線体の組付を容易にし、該制御用線体の前記貫通孔内での保持を確実をする。
【図面の簡単な説明】
【図１】本発明の一実施形態のハンドレバー装置を備えた刈払機の斜視図。
【図２】図１のハンドレバー装置を矢視II方向から見た左側面要部拡大図。
【図３】図２のハンドレバー装置の後グリップ部のIII-III矢視断面図。
【図４】本発明の他の実施形態のハンドレバー装置の後グリップ部の図３に対応する断面図。
【図５】本発明の更に他の実施形態のハンドレバー装置の後グリップ部の縦断面図。
【図６】図５のハンドレバー装置の後グリップ部のVI-VI矢視断面図。
【図７】図５のハンドレバー装置の後グリップ部のVII-VII矢視断面図。
【図８】先行技術のハンドレバー装置の図２に対応する左側面図。
【図９】図８のハンドレバー装置の後グリップ部のIX-IX矢視断面図。
【符号の説明】
１…作業機（刈払機）
２…内燃機関
１０…ハンドレバー装置
１１…グリップ部（後グリップ部）
１１ｃ…膨出部
１１ｄ…レバー受け部
１５…ボーデンケーブル（制御用線体）
１８…電導コード（制御用線体）
１９…貫通孔
１９ａ…円形部分
１９ｂ…円形部分
１９ｃ…中央溝部
１９ｃ1 …溝部
１９ｃ2 …溝部
３０…レバー（メインレバー）
３１…操作部
ＣＶ…スロットル弁
【図１】
0003878263.tif 000002
【図２】
0003878263.tif 000003
【図３】
0003878263.tif 000004
【図４】
0003878263.tif 000005
【図５】
0003878263.tif 000006
【図６】
0003878263.tif 000007
【図７】
0003878263.tif 000008
【図８】
0003878263.tif 000009
【図９】
0003878263.tif 000010